(57)【要約】【課題】利用者の立ち位置に関わりなくエスカレータにおける情報の提供ができる情報提供システムを実現する。【解決手段】エスカレータにおける情報提供システムにおいて、エスカレータの乗降部ＬＤ２１であってステップＳＴ２１の移動方向に直交する方向の両端に対向して設置され、同一の映像を乗降部ＬＤ２１に投影する超短焦点型の第１及び第２投影装置２、３と、第１及び第２投影装置２、３を制御して、提供する情報の映像を乗降部ＬＤ２１に投影させる制御装置１とを備える。【選択図】図１
2015182878.tif 000002
【特許請求の範囲】
【請求項１】
エスカレータにおける情報提供システムにおいて、
エスカレータの乗降部であってステップの移動方向に直交する方向の両端に対向して設置され、同一の映像を前記乗降部に投影する超短焦点型の第１及び第２投影装置と、
前記第１及び第２投影装置を制御して、提供する情報の映像を前記乗降部に投影させる制御装置と、
を備えたことを特徴とする情報提供システム。
【請求項２】
エスカレータの手すりの外側に配設された外デッキの上方に設置され上側から映像を投影することにより前記外デッキ全体に亘って映像を投影する複数の投影手段から構成される第３投影装置を備え、
前記制御装置は、前記第３投影装置を制御して前記外デッキに提供する情報の映像を投影させることを特徴とする請求項１に記載の情報提供システム。
【請求項３】
エスカレータのステップの運転方向を検知する運転方向検知装置を備え、
前記制御装置は、前記運転方向検知装置が検知した運転方向に合わせて向きを設定した映像を投影させることを特徴とする請求項１又は２に記載の情報提供システム。
【請求項４】
エスカレータのステップの移動速度を検知する移動速度検知装置を備え、
前記制御装置は、前記移動速度検知装置が検知した移動速度に同期させた動画映像を投影させることを特徴とする請求項１〜３のいずれか一項に記載の情報提供システム。
【請求項５】
前記乗降部、或いは、前記外デッキの表面に、当該表面の反射率を低減させる塗装を施したことを特徴とする請求項１〜４のいずれか一項に記載の情報提供システム。
【発明の詳細な説明】
【技術分野】
【０００１】
本発明は、エスカレータにおける情報提供システムに関する。
【背景技術】
【０００２】
駅構内等のエスカレータの利用における安全性向上のため、乗降時の注意喚起や、エスカレータのステップに同期して移動する手すりの担持を促すような情報を利用者に提供することが望ましい。
【０００３】
このため、従来、エスカレータの乗降部の床の一部に、建屋床に対して上向きに傾斜している表示部を備え、当該表示部に乗客コンベアの運転に関する情報を表示させることにより、利用者が、乗降口から比較的離れた場所からでも、乗客コンベアの運転に関する情報を視認できる運転表示装置が開示されている（特許文献１参照）。
【０００４】
但し、特許文献１における運転表示装置では、エスカレータ本体やその周辺の改造工事が必要となり、例えば、駅構内等で既に運用中のエスカレータに対して、改造工事を行うことは難しいといった問題点があった。
【０００５】
一方、エスカレータの手すりや壁面にプロジェクター等の投影装置により、映像を投影し表示させることにより、任意の画像を表示・移動表示させることができるエスカレータ及び動く歩道に関する広告の表示装置が開示されている（特許文献２参照）。この発明によれば、エスカレータ本体やその周辺の改造工事を行うことなく、エスカレータの手すりや壁面に、任意の画像を表示・移動表示させることができる。
【先行技術文献】
【特許文献】
【０００６】
【特許文献１】特開２０１３−０６７４４２号公報
【特許文献２】特開２００５−０８２４００号公報
【発明の概要】
【発明が解決しようとする課題】
【０００７】
しかしながら、特許文献２における表示装置では、エスカレータ等の上方に設置された投影装置から手すりに映像を投影するため、利用者の頭や手、或いは、持っている荷物といった遮蔽物が、投影装置と手すりとの間に存在する場合、投影している映像が遮られて、手すりに情報を投影させることができないといった問題点があった。
特に、エスカレータ本体やその周辺の改造工事を行う必要のない特許文献２における表示装置を用いて、特許文献１における運転表示装置のように、エスカレータの乗降部に上部から情報を投影しようとした場合、利用者の全身が遮蔽物となってしまい、利用者の立ち位置によって映像の一部が遮られてしまうため、利用者に情報を確実に提供することができず、エスカレータの利用における安全性向上等に資することができない。
【０００８】
本発明の課題は、利用者の立ち位置に関わりなくエスカレータにおける情報の提供ができる情報提供システムを実現することにある。
【課題を解決するための手段】
【０００９】
上記課題を達成するため、この発明は、
エスカレータにおける情報提供システムにおいて、
エスカレータの乗降部であってステップの移動方向に直交する方向の両端に対向して設置され、同一の映像を前記乗降部に投影する超短焦点型の第１及び第２投影装置と、
前記第１及び第２投影装置を制御して、提供する情報の映像を前記乗降部に投影させる制御装置と、
を備えるようにしたものである。
【００１０】
エスカレータにおける情報提供システムにおいて、２つの超短焦点型の投影装置を、エスカレータの乗降部であってステップの移動方向に直交する方向の両端に対向して設置させ、制御装置から入力される同一の映像を乗降部に投影することにより、利用者の人体により遮られる映像遮蔽部において、２つの超短焦点型の投影装置が、互いに映像を補完することになるので、利用者の立ち位置による映像の欠落を補完することができ、利用者の立ち位置に関わりなくエスカレータにおける情報の提供ができる。
なお、「乗降部への投影」は、乗降部から当該乗降部と略同一の高さのステップに亘って映像を投影する場合を含む。
【００１１】
また、望ましくは、エスカレータの手すりの外側に配設された外デッキの上方に設置され上側から映像を投影することにより前記外デッキ全体に亘って映像を投影する複数の投影手段から構成される第３投影装置を備え、前記制御装置は、前記第３投影装置を制御して前記外デッキに提供する情報の映像を投影させるようにしたものである。
エスカレータにおける情報提供システムにおいて、複数の投影手段から構成される投影装置を、エスカレータの手すりの外側に配設された外デッキの上方に設置することにより、人体により遮蔽されることなくエスカレータの外デッキの上側から外デッキ全体に亘って映像を投影することができるので、利用者が、エスカレータのステップに乗っている時にも、外デッキ全体に映像を投影して、エスカレータにおける情報の提供ができる。
【００１２】
また、望ましくは、エスカレータのステップの運転方向を検知する運転方向検知装置を備え、前記制御装置は、前記運転方向検知装置が検知した運転方向に合わせて向きを設定した映像を投影させるようにしたものである。
また、運転方向検知装置が検知した運転方向に合わせて向きを設定した映像を投影装置からエスカレータの乗降部、或いは、外デッキに投影させることにより、利用者から見て乗降部、或いは、外デッキに投影される映像が逆向きになることを防止することができる。
【００１３】
また、望ましくは、エスカレータのステップの移動速度を検知する移動速度検知装置を備え、前記制御装置は、前記移動速度検知装置が検知した移動速度に同期させた動画映像を投影させるようにしたものである。
移動速度検知装置が検知した移動速度に同期して移動する映像を投影装置からエスカレータの乗降部、或いは、外デッキに投影させることにより、利用者から見て乗降部、或いは、外デッキに投影される映像が移動速度に同期して移動するので、利用者は移動しながら同じ映像を視認することができる。
【００１４】
また、望ましくは、前記乗降部、或いは、前記外デッキの表面に、当該表面の反射率を低減させる塗装を施すようにしたものである。
エスカレータの乗降部、或いは、外デッキの表面に、当該表面の反射率を低減させる塗装を施すことにより、投影される映像が鮮明になるので、提供する情報の映像の視認性を向上させることができる。
【発明の効果】
【００１５】
本発明によれば、エスカレータにおける情報提供システムにおいて、２つの超短焦点型の投影装置を、エスカレータの乗降部であってステップの移動方向に直交する方向の両端に対向して設置させ、制御装置から入力される同一の映像を乗降部に投影することにより、利用者の人体により遮られる映像遮蔽部において、２つの超短焦点型の投影装置が、互いに映像を補完することになるので、利用者の立ち位置による映像の欠落を補完することができ、利用者の立ち位置に関わりなくエスカレータにおける情報の提供ができる。
【図面の簡単な説明】
【００１６】
【図１】本実施の形態に係る情報提供システムの構成の一例を示す構成ブロック図である。
【図２】本実施の形態に係る情報提供システムを設置したエスカレータの一例を示す概略構成図である。
【図３】投影される映像の状態を説明する説明図である。
【図４】第２実施形態に係る情報提供システムの構成の一例を示す構成ブロック図である。
【図５】第２実施形態に係る情報提供システムを設置したエスカレータの一例を示す概略構成図である。
【発明を実施するための形態】
【００１７】
［１．構成の説明］
以下、図面を参照しつつ、本発明の実施形態である情報提供システムを詳細に説明する。但し、発明の範囲は、図示例に限定されない。
【００１８】
（実施形態）
本発明の実施形態の情報提供システムの構成について図１を参照して説明する。図１は、情報提供システムの構成の一例を示す構成ブロック図である。
図１に示すように、エスカレータにおける情報提供システム１００（以下、単にシステム１００と呼ぶ。）は、制御装置１、２つの投影装置２及び３、運転方向検知装置４及び移動速度検知装置５を有する。
【００１９】
制御装置１は、汎用のコンピュータやＰＬＣ（プログラマブルロジックコントローラ）等の任意のプログラミングが可能で、他の装置等を制御することが可能な装置であり、制御装置１内の記憶部（図示せず）に予め記憶された投影する映像の情報（提供情報）を読み出して、制御対象である投影装置２及び３に出力して映像を投影させる。
【００２０】
投影装置２及び３は、超短焦点型のプロジェクターであり、従来のプロジェクターの焦点距離よりも極めて短い焦点距離で映像を投影することができる投影装置である。例えば、従来のプロジェクターの焦点距離が２００〜３００ｃｍであるのに対して、超短焦点型のプロジェクターの焦点距離は１０数ｃｍ程度の極めて短い焦点距離である。
そして、投影装置２及び３は、制御装置１から入力される投影する映像を、投影対象に対して投影する。
【００２１】
運転方向検知装置４は、エスカレータのステップの運転方向を検知する装置であり、例えば、超音波センサ、光学式センサ等のセンサを用いてエスカレータのステップの運転方向を検知する装置である。
また、センサを用いて物理的にエスカレータのステップの運転方向を検知するのではなく、エスカレータ全体を制御する制御装置（図示せず）からエスカレータのステップの運転方向に関する情報を取得するような装置であっても良い。
【００２２】
移動速度検知装置５は、エスカレータのステップの移動速度を検知する装置であり、例えば、超音波センサ、光学式センサ等のセンサを用いてエスカレータのステップの移動速度を検知する装置である。
また、センサを用いて物理的にエスカレータのステップの移動速度を検知するのではなく、エスカレータ全体を制御する制御装置（図示せず）からエスカレータのステップの移動速度に関する情報を取得するような装置であっても良い。
【００２３】
［２．情報提供システムの動作の説明］
エスカレータに設置されたシステム１００の動作を図２及び図３を参照して説明する。
図２は、システムを設置したエスカレータの一例を示す概略構成図であり、図２（ａ）は、エスカレータを上方から俯瞰した概略構成図、図２（ｂ）は、エスカレータを側面から見た概略構成図、図２（ｃ）は、エスカレータのステップ側から利用者を見た概略構成図である。
図２に示すように、エスカレータは、自動で昇降する階段状の踏み面（ステップＳＴ２１）と、ステップＳＴ２１の両側に設置され、当該ステップＳＴ２１の移動速度に同期して移動する手すりＢＴ２１及びＢＴ２２を備えている。また、ステップＳＴ２１が階段状から水平状態に移行する部分には水平な乗降部ＬＤ２１を備えている。
なお、図２においては、エスカレータの一端（上の階の乗降部の近傍部分）しか図示されていないが、勿論、エスカレータの他端（下の階の乗降部の近傍部分）が同様の構成であっても良い。
そして、図２に示すように２つの超短焦点型の投影装置２及び３は、エスカレータの乗降部ＬＤ２１であってステップＳＴ２１の移動方向に直交する方向の両端に対向して設置され、制御装置１の制御により入力された投影する映像（提供情報）である、同一の映像ＩＭ２１を乗降部ＬＤ２１に両側からそれぞれ投影する。
なお、システム１００を構成する制御装置１、運転方向検知装置４及び移動速度検知装置５のエスカレータにおける設置場所に関しては任意の場所に設置可能であるため、図２における具体的な図示は省略する。
【００２４】
２つの投影装置２及び３は、超短焦点型の投影装置であるため、投影装置２及び３と乗降部ＬＤ２１との間に入り込む遮蔽物である利用者の人体ＨＭ２１は、例えば、つま先から足首までの部位になり、遮られてしまう映像を極めて少なくすることができる。
【００２５】
また、２つの投影装置２及び３は、乗降部ＬＤ２１に両側から同一の映像ＩＭ２１を乗降部ＬＤ２１に投影しているため、遮られた映像を互いに補完することができる。
例えば、図３は、投影される映像の状態を説明する説明図であり、投影装置２から乗降部ＬＤ３１に投影される映像は、利用者の人体ＨＭ３１に遮られて映像遮蔽部ＳＤ３１が生じる。同様に、投影装置３から乗降部ＬＤ３１に投影される映像は、利用者の人体ＨＭ３１に遮られて映像遮蔽部ＳＤ３２が生じる。
この時、映像遮蔽部ＳＤ３１の部分には、投影装置３から同一の映像が投影されるので、映像遮蔽部ＳＤ３１の部分の映像が補完されて欠落することはない。また、同様に、映像遮蔽部ＳＤ３２の部分には、投影装置２から同一の映像が投影されるので、映像遮蔽部ＳＤ３２の部分の映像が補完されて欠落することはない。
すなわち、２つの投影装置２及び３は、利用者の人体ＨＭ３１により遮られる映像遮蔽部ＳＤ３１及びＳＤ３２において、互いに映像を補完することになるので、利用者の立ち位置によって映像の一部が遮られて、利用者に情報を確実に提供することができなくなることを防止できる。
【００２６】
また、利用者の人体ＨＭ３１により遮られる映像遮蔽部ＳＤ３１及びＳＤ３２以外の部分では、２つの投影装置２及び３から同一の映像が投影されているため、光量が多くなり映像が鮮明になるので、提供される情報をより視認し易くなる。なお、映像遮蔽部ＳＤ３１及びＳＤ３２は、映像遮蔽部ＳＤ３１及びＳＤ３２以外の部分と比較して光量が半減するものの、映像遮蔽部ＳＤ３１及びＳＤ３２の面積は、超短焦点型の投影装置２及び３を用いることにより小さくすることができるので、提供される情報の視認性に対する影響は極めて小さくなる。
【００２７】
このように、２つの超短焦点型の投影装置２及び３を、エスカレータの乗降部であってステップＳＴ２１の移動方向に直交する方向の両端に対向して設置させ、制御装置１から入力される同一の映像を乗降部ＬＤ２１に投影することにより、利用者の立ち位置による映像の欠落を補完することができるので、利用者の立ち位置に関わりなくエスカレータにおける情報の提供ができる。
【００２８】
また、システム１００において、制御装置１は、運転方向検知装置４が検知した運転方向に合わせて向きを設定した映像を投影装置２及び３からエスカレータの乗降部ＬＤ２１に投影させる。例えば、検知した運転方向に合わせて投影する映像の向きを１８０度回転させた映像を投影装置２及び３からエスカレータの乗降部ＬＤ２１に投影させる。
このように、運転方向検知装置４が検知した運転方向に合わせて向きを設定した映像ＩＭ２１を投影装置２及び３からエスカレータの乗降部ＬＤ２１に投影させることにより、利用者から見て乗降部ＬＤ２１に投影される映像ＩＭ２１が逆向きになることを防止することができる。
【００２９】
さらに、システム１００において、制御装置１は、運転方向検知装置４が検知した運転方向に基づき、移動速度検知装置５が検知したステップＳＴ２１の移動速度に同期させた動画映像を投影装置２及び３からエスカレータの乗降部ＬＤ２１に投影させる。例えば、検知した移動速度に同期させて投影する映像を運転方向に移動させた映像ＩＭ２１を投影装置２及び３からエスカレータの乗降部ＬＤ２１に投影させる。
【００３０】
このように、運転方向検知装置４が検知した運転方向に基づき、移動速度検知装置５が検知した移動速度に同期して移動する映像を投影装置２及び３からエスカレータの乗降部ＬＤ２１に投影させることにより、利用者から見て乗降部ＬＤ２１に投影される映像ＩＭ２１が移動速度に同期して移動するので、利用者は移動しながら同じ映像ＩＭ２１を視認することができる。
【００３１】
以上のように、エスカレータにおける情報提供システムにおいて、２つの超短焦点型の投影装置２及び３を、エスカレータの乗降部ＬＤ２１であってステップＳＴ２１の移動方向に直交する方向の両端に対向して設置させ、制御装置１から入力される同一の映像ＩＭ２１を乗降部ＬＤ２１に投影することにより、利用者の立ち位置による映像の欠落を補完することができるので、利用者の立ち位置に関わりなくエスカレータにおける情報の提供ができる。
【００３２】
また、運転方向検知装置４が検知した運転方向に合わせて向きを設定した映像を投影装置２及び３からエスカレータの乗降部ＬＤ２１に投影させることにより、利用者から見て乗降部ＬＤ２１に投影される映像ＩＭ２１が逆向きになることを防止することができる。
【００３３】
さらに、運転方向検知装置４が検知した運転方向に基づき、移動速度検知装置５が検知したステップＳＴ２１の移動速度に同期して移動する映像を投影装置２及び３からエスカレータの乗降部ＬＤ２１に投影させることにより、利用者から見て乗降部ＬＤ２１に投影される映像ＩＭ２１が移動速度に同期して移動するので、利用者は移動しながら同じ映像ＩＭ２１を視認することができる。
【００３４】
（第２実施形態）
本発明の実施形態等の説明に際しては、エスカレータの乗降部に提供する情報の映像を投影させていたが、エスカレータの手すりの外側に配設された外デッキにも提供する情報の映像を投影させても良い。
図４は、第２実施形態に係る情報提供システムの構成の一例を示す構成ブロック図である。なお、前述の実施形態に係る情報提供システムと同じ部分の説明は適宜省略する。
図４に示すように、第２実施形態に係るエスカレータにおける情報提供システム２００（以下、単にシステム２００と呼ぶ。）は、制御装置１、２つの投影装置２及び３、運転方向検知装置４及び移動速度検知装置５を有し、さらに、エスカレータの手すりの外側に配設された外デッキの上方に設置され上側から映像を投影することにより外デッキ全体に亘って映像を投影する複数の投影手段から構成される投影装置６を有する。
【００３５】
また、図５は、第２実施形態に係るシステムを設置したエスカレータの一例を示す概略構成図であり、図５（ａ）は、エスカレータを側面から見た概略構成図、図５（ｂ）は、エスカレータを上方から俯瞰した概略構成図である。
エスカレータは、自動で昇降する階段状の踏み面（ステップＳＴ５１）と、ステップＳＴ５１の両側に設置され、当該ステップＳＴ５１の移動速度に同期して移動する手すりＢＴ５１及びＢＴ５２を備えている。また、ステップＳＴ５１が階段状から水平状態に移行する部分には水平な乗降部ＬＤ５１及びＬＤ５２を備えている。さらに、手すりＢＴ５１及びＢＴ５２の外側には、外デッキＤＥ５１及びＤＥ５２が備えられている。
【００３６】
そして、図５に示すように投影装置６を構成する複数の投影手段ＰＪ６１〜ＰＪ６６は、エスカレータの外デッキＤＥ５１及びＤＥ５２の上方に所定の間隔で、複数の投影手段ＰＪ６１〜ＰＪ６６がそれぞれ外デッキＤＥ５１及びＤＥ５２に映像を投影することにより、外デッキＤＥ５１及びＤＥ５２全体に亘って映像ＩＭ５１及びＩＭ５２を投影できるように設置されている。
なお、システム２００を構成する制御装置１、運転方向検知装置４及び移動速度検知装置５のエスカレータにおける設置場所に関しては任意の場所に設置可能であるため、図５における具体的な図示は省略する。
【００３７】
図５に示すように、エスカレータにおける情報提供システムにおいて、複数の投影手段ＰＪ６１〜ＰＪ６６から構成される投影装置６を、エスカレータの外デッキＤＥ５１及びＤＥ５２の上方に設置することにより、エスカレータの外デッキＤＥ５１及びＤＥ５２の上側から外デッキ全体ＤＥ５１及びＤＥ５２に亘って映像ＩＭ５１及びＩＭ５２を投影することができるので、利用者が、エスカレータのステップＳＴ５１に乗っている時にも、外デッキ全体ＤＥ５１及びＤＥ５２に映像ＩＭ５１及びＩＭ５２を投影して、エスカレータにおける情報の提供ができる。
また、外デッキＤＥ５１及びＤＥ５２と投影装置６（投影手段ＰＪ６１〜ＰＪ６６）との間には、人体等の遮蔽物が入る可能性は低いので、映像が遮蔽されて欠落する恐れも少ない。
【００３８】
また、システム２００において、制御装置１は、運転方向検知装置４が検知した運転方向に合わせて向きを設定した映像を投影装置６からエスカレータの手すりの外側に配設された外デッキＤＥ５１及びＤＥ５２に投影させる。例えば、検知した運転方向に合わせて投影する映像の向きを１８０度回転させた映像を投影装置６からエスカレータの外デッキＤＥ５１及びＤＥ５２に投影させる。
このように、運転方向検知装置４が検知した運転方向に合わせて向きを設定した映像ＩＭ５１及びＩＭ５２を投影装置６からエスカレータの外デッキＤＥ５１及びＤＥ５２に投影させることにより、利用者から見て外デッキＤＥ５１及びＤＥ５２に投影される映像ＩＭ５１及びＩＭ５２が逆向きになることを防止することができる。
【００３９】
さらに、システム２００において、制御装置１は、運転方向検知装置４が検知した運転方向に基づき、移動速度検知装置５が検知したステップＳＴ５１の移動速度に同期して移動する映像ＩＭ５１及びＩＭ５２を投影装置６からエスカレータの外デッキＤＥ５１及びＤＥ５２に投影させる。
【００４０】
このように、運転方向検知装置４が検知した運転方向に基づき、移動速度検知装置５が検知したステップＳＴ５１の移動速度に同期して移動する映像を投影装置６からエスカレータの外デッキＤＥ５１及びＤＥ５２に投影させることにより、外デッキＤＥ５１及びＤＥ５２に投影される映像ＩＭ５１及びＩＭ５２が移動速度に同期して移動するので、利用者は移動しながら同じ映像ＩＭ５１及びＩＭ５２を外デッキＤＥ５１及びＤＥ５２に視認することができる。
【００４１】
以上のように、エスカレータにおける情報提供システムにおいて、複数の投影手段ＰＪ６１〜ＰＪ６６から構成される投影装置６を、エスカレータの手すりの外側に配設された外デッキＤＥ５１及びＤＥ５２の上方に設置することにより、人体等に遮蔽されることなく、エスカレータの外デッキＤＥ５１及びＤＥ５２の上側から外デッキ全体ＤＥ５１及びＤＥ５２に亘って映像を投影することができるので、利用者が、エスカレータのステップＳＴ５１に乗っている時にも、外デッキ全体ＤＥ５１及びＤＥ５２に映像を投影して、エスカレータにおける情報の提供ができる。
【００４２】
また、運転方向検知装置４が検知した運転方向に合わせて向きを設定した映像ＩＭ５１及びＩＭ５２を投影装置６からエスカレータの外デッキＤＥ５１及びＤＥ５２に投影させることにより、利用者から見て外デッキＤＥ５１及びＤＥ５２に投影される映像ＩＭ５１及びＩＭ５２が逆向きになることを防止することができる。
【００４３】
また、運転方向検知装置４が検知した運転方向に基づき、移動速度検知装置５が検知したステップＳＴ５１の移動速度に同期して移動する映像を投影装置６からエスカレータの外デッキＤＥ５１及びＤＥ５２に投影させることにより、外デッキＤＥ５１及びＤＥ５２に投影される映像ＩＭ５１及びＩＭ５２が移動速度に同期して移動するので、利用者は移動しながら同じ映像ＩＭ５１及びＩＭ５２を外デッキＤＥ５１及びＤＥ５２に視認することができる。
【００４４】
なお、本発明の実施形態等の説明に際しては、提供する情報の映像をエスカレータの乗降部、或いは、外デッキに投影しているが、当該乗降部や外デッキの材質によってはその表面の反射率が高い場合がある。映像の投影面の反射率が高い場合には、映像が不鮮明になり視認し難くなる場合もあるので、乗降部、或いは、外デッキの表面に、当該表面の反射率を低減させる塗装を施しても良い。
このように、エスカレータの乗降部、或いは、外デッキの表面に、当該表面の反射率を低減させる塗装を施すことにより、投影される映像が鮮明になるので、提供する情報の映像の視認性を向上させることができる。
【００４５】
また、本発明の実施形態等の説明に際しては、乗降部に、提供する情報の映像を投影しているが、乗降部のみ投影するだけではなく、乗降部から当該乗降部と略同一の高さのステップに亘って映像を投影しても良い。
このように、乗降部から当該乗降部と略同一の高さのステップに亘って映像を投影した場合、広い範囲に映像を投影することができるので、より多くの情報を提供することができる。
【００４６】
また、本発明の実施形態等の説明に際しては、制御装置１は、運転方向検知装置４が検知した運転方向に基づき、移動速度検知装置５が検知した移動速度に同期して移動する映像を投影装置２及び３（或いは、投影装置６）からエスカレータの乗降部ＬＤ２１（或いは、外デッキＤＥ５１及びＤＥ５２）に投影させているが、エスカレータの運転方向が固定、例えば、上りのみ、或いは、下りのみの場合には、制御装置１に予め運転方向を設定できるので、制御装置１は、移動速度検知装置５が検知した移動速度にのみ同期して移動する映像を投影装置２及び３（或いは、投影装置６）からエスカレータの乗降部ＬＤ２１（或いは、外デッキＤＥ５１及びＤＥ５２）に投影させれば良い。
【００４７】
また、本発明の実施形態等の説明に際しては、制御装置１は、移動速度検知装置５が検知したステップの移動速度に同期させた動画映像を投影装置２及び３（或いは、投影装置６）からエスカレータの乗降部（或いは、外デッキ）に投影させているが、利用者の有無を感知する人感センサを設けて、利用者を感知した時のみ、映像を投影しても良い。
このように、利用者を感知した時のみ、エスカレータの乗降部、或いは、外デッキに映像を投影することにより、当該利用者が、乗降部に進入する際、或いは、エスカレータのステップに乗っている際に、利用者に対して確実に情報を提供することができる。
【符号の説明】
【００４８】
１  制御装置
２、３、６  投影装置
４  運転方向検知装置
５  移動速度検知装置
１００、２００  システム
ＬＤ２１、ＬＤ５１、ＬＤ５２  乗降部
ＤＥ５１、ＤＥ５２  外デッキ
ＳＴ２１、ＳＴ５１  ステップ
ＢＴ２１、ＢＴ２２、ＢＴ５１、ＢＴ５２  手すり
ＰＪ６１、ＰＪ６２、ＰＪ６３、ＰＪ６４、ＰＪ６５、ＰＪ６６  投影手段
【図１】
2015182878.tif 000003
【図２】
2015182878.tif 000004
【図３】
2015182878.tif 000005
【図４】
2015182878.tif 000006
【図５】
2015182878.tif 000007